(57)【要約】【課題】  列車運行管理システムで使用する運行表示画面の全点試験の試験効率を高める手段を備えた運行表示画面全点試験装置を提供する。【解決手段】  運行表示画面試験情報ＤＢ２０が、画面試験(入力情報)ＤＢ２１と、画面試験(出力情報)ＤＢ２２とからなり、図示しない演算手段が、作成した運行表示画面について全点試験を手動または自動で実行し、入力情報を運行表示画面試験情報ＤＢ２０内の画面試験(入力情報)ＤＢ２１に格納し、設備情報提供装置５０に制御出力を要求し、設備情報提供装置５０からの応答結果を画面試験(出力情報)ＤＢ２２に格納し、その情報から試験仕様書３０フォーマットを使用して試験仕様書を作成し、設備追加／削除時には、試験仕様書を新たに作成する運行表示画面試験仕様書作成手段と、設備追加／削除時に、変更されなかった運行表示画面個所についても、設備全点を試験する健全性確認試験実行手段とを備えた。【選択図】        図１
2008001268.tif 000002
【特許請求の範囲】
【請求項１】
全設備情報を設備一覧ＤＢとして管理している設備情報提供装置と、作成した運行表示画面の表示手段と運行表示画面試験情報ＤＢ(データベース)と試験仕様書フォーマットの格納手段と演算手段とを含む試験端末とからなる運行表示画面全点試験装置であって、
前記運行表示画面試験情報ＤＢが、画面試験(入力情報)ＤＢと、画面試験(出力情報)ＤＢとからなり、
前記演算手段が、作成した運行表示画面について全点試験を手動または自動で実行し、入力情報を運行表示画面試験情報ＤＢ内の画面試験(入力情報)ＤＢに格納し、前記設備情報提供装置に制御出力を要求し、前記設備情報提供装置からの応答結果を画面試験(出力情報)ＤＢに格納し、その情報から試験仕様書フォーマットを使用して試験仕様書を作成し、設備追加／削除時には、試験仕様書を新たに作成する運行表示画面試験仕様書作成手段と、設備追加／削除時に、変更されなかった運行表示画面個所についても、設備全点を試験する健全性確認試験実行手段とを備えたことを特徴とする運行表示画面全点試験装置。
【請求項２】
請求項１に記載の運行表示画面全点試験装置において、
前記運行表示画面試験情報ＤＢが、前記運行表示画面上で操作した設備名称情報とその設備への構成制御情報と操作番号とを登録する画面試験(入力情報)ＤＢと、前記設備情報提供装置からの少なくとも１つの応答結果情報に基づいて操作番号に対応した応答結果および表示情報を登録する画面試験(出力情報)ＤＢとからなることを特徴とする運行表示画面全点試験装置。
【請求項３】
請求項２に記載の運行表示画面全点試験装置において、
前記運行表示画面試験仕様書作成手段が、選択された日付に基づいて、操作番号をキーとして、前記画面試験(入力情報)ＤＢから、操作番号，設備名称番号，制御情報を抽出し、選択された日付に基づいて、操作番号をキーとして、画面試験(出力情報)ＤＢから、表示情報と出力結果を抽出し、それぞれの情報を併合して、試験仕様書フォーマット上で試験仕様書を作成する手段であることを特徴とする運行表示画面全点試験装置。
【請求項４】
請求項１ないし３のいずれか一項に記載の運行表示画面全点試験装置において、
健全性確認試験実行手段が、前記設備情報提供装置から受信した制御応答結果情報に基づき、運行表示画面に結果を表示させる際に、前記画面試験(出力情報)ＤＢから該当する操作番号の表示情報を参照し、参照した表示情報と今回の表示情報とを比較し、比較結果を試験仕様書情報として前記画面試験(出力情報)ＤＢに登録する手段であり、
画面試験(出力情報)ＤＢに登録する情報は、出力結果が前回と同じ場合は「ＯＫ」、出力結果が前回と異なる場合は「ＮＧ」であることを特徴とする運行表示画面全点試験装置。
【請求項５】
請求項４に記載の運行表示画面全点試験装置において、
健全性確認試験実行手段が、最新の画面情報(出力情報)ＤＢを検索し、応答結果情報から「ＮＧ」を検出し、検出した「ＮＧ」の操作番号により、今回の画面情報(入力情報)ＤＢの設備情報を参照し、参照した今回の設備情報および表示情報を運行表示画面に表示させるとともに、検出された「ＮＧ」の操作番号により、前回の画面情報(入力情報)ＤＢの設備情報を参照し、参照した前回の設備情報および表示情報も運行表示画面に表示させる手段であることを特徴とする運行表示画面全点試験装置。
【発明の詳細な説明】
【技術分野】
【０００１】
本発明は、列車運行管理システムに係り、特に、運行表示画面を生成した後にまたは更新した後にその妥当性を確認する運行表示画面全点試験装置に関する。
【背景技術】
【０００２】
列車運行管理システムは、列車の在線位置などの在線状況や信号機などの鉄道現場設備を表示する運行表示画面と、鉄道指令員が運行表示画面を参照して列車の運行状況や設備状態を監視し制御する手段とを備えている。
【０００３】
鉄道指令員が列車や現場設備を容易かつ確実に監視し制御できるようにするため、運行表示画面に表示している位置や色に意味を持たせてある。例えば、運行表示画面の線路上に、列車が存在している線路個所と列車が存在しない線路個所とを表示色で分けて、列車の在線個所を一目で判別できるようになっている。
【０００４】
また、ある駅の信号機に対して運行表示画面から制御指令を入力した時、現場設備からの応答状態を表示色で判別している。
【０００５】
このように、運行表示画面の表示位置や色は、列車を安全走行させる上で、重要な役割を果たしているので、運行表示画面は、誤表示や色違い表示をしてはならない。
【０００６】
そこで、運行表示画面作成者は、運行表示画面を生成した後にまたは更新した後にその妥当性を充分に試験する必要がある(例えば、特許文献１参照)。
【０００７】
【特許文献１】特開平１０−２３６３０９号公報(第５〜６頁  図１〜３)
【発明の開示】
【発明が解決しようとする課題】
【０００８】
運行表示画面作成者は、運行表示画面を作成した後、設備全体について運行表示画面の妥当性を確認する全点試験を実行する。
【０００９】
全点試験を実行する際に、運行表示画面の試験仕様書を作成する。その試験仕様書は、設備の状態変化に伴う表示色，該当する設備に対する制御指示の表示色，制御結果の表示色を確認するため、運行表示画面上の全ての設備を記載しなければならない。また、作成した運行表示画面全てについて、試験仕様書を作成しなければならない。
【００１０】
したがって、設備が多くなるほど、運行表示画面全てについて試験仕様書を作成するには、膨大な時間を要していた。
【００１１】
また、試験仕様書作成後に全点試験を実行する場合、設備１点ごとに状態変化を発生させて、試験仕様書に記入し、設備１点ごとに制御指令を入力し、試験仕様書に記入し、表示結果を見て試験仕様書に結果を記入していく。
【００１２】
一通り試験を実行した後、上記処理手順運行表示結果が正しくない個所について、上記処理手順を繰り返し、運行表示画面を修正する。
【００１３】
修正完了後に、該当個所のみを試験する意味で、一度作成した試験仕様書に追加の試験内容および試験結果を追記していく。
【００１４】
不正状態や不正個所によっては、上記処理手順で結果良好となっている個所についても更に修正をする必要がある。修正した設備が、設備の内容ではなく表示位置のみならば、一度作成した試験仕様書を元に試験を実行する。
【００１５】
しかし、一度完成した運行表示画面に対して、運行表示画面に表示する設備の追加または既に表示している設備の表示位置変更が発生した場合には、運行表示画面を修正する。設備追加／削除の場合は、試験仕様書を再度作成する必要があり、その後には全点試験を実行しなければならない。
【００１６】
また、運行表示画面の全点試験を実行するには、作成した試験端末と同じ端末内環境でなければ、運行表示画面の表示ができなかった。すなわち、全点試験に使用する端末も、専用端末でなければならないという制限があった。
【００１７】
本発明の課題は、列車運行管理システムで使用する運行表示画面の全点試験の試験効率を高める手段を備えた運行表示画面全点試験装置を提供することである。
【課題を解決するための手段】
【００１８】
本発明は、上記課題を解決するために、全設備情報を設備一覧ＤＢとして管理している設備情報提供装置と、作成した運行表示画面の表示手段と運行表示画面試験情報ＤＢ(データベース)と試験仕様書フォーマットの格納手段と演算手段とを含む試験端末とからなる運行表示画面全点試験装置であって、前記運行表示画面試験情報ＤＢが、画面試験(入力情報)ＤＢと、画面試験(出力情報)ＤＢとからなり、前記演算手段が、作成した運行表示画面について全点試験を手動または自動で実行し、入力情報を運行表示画面試験情報ＤＢ内の画面試験(入力情報)ＤＢに格納し、前記設備情報提供装置に制御出力を要求し、前記設備情報提供装置からの応答結果を画面試験(出力情報)ＤＢに格納し、その情報から試験仕様書フォーマットを使用して試験仕様書を作成し、設備追加／削除時には、試験仕様書を新たに作成する運行表示画面試験仕様書作成手段と、設備追加／削除時に、変更されなかった運行表示画面個所についても、設備全点を試験する健全性確認試験実行手段とを備えた運行表示画面全点試験装置を提案する。
【発明の効果】
【００１９】
本発明によれば、運行表示画面の全点試験を実行し、試験仕様書の結果情報を作成するまでの処理手順を自動化できるので、運行表示画面作成者の作業効率が改善される。
【００２０】
また、一度全点試験を実行すると、そのデータを保管して、いつでも全点試験を実行できる状態にあるので、設備を追加／削減した時にも、全点試験を実行し変更後の全点試験結果を容易に確認でき、運行表示画面作成者の作業負担を軽減できる。
【００２１】
したがって、高品質で誤りが無い運行表示画面を鉄道指令員に提供できる。
【発明を実施するための最良の形態】
【００２２】
次に、図１〜図９を参照して、本発明による運行表示画面全点試験装置の実施例を説明する。
【００２３】
図１は、本発明による運行表示画面全点試験装置の一実施例の系統構成を示すブロック図である。
【００２４】
本実施例の運行表示画面全点試験装置は、試験端末１と、外部の設備情報提供装置５０とからなる。試験端末１は、作成した運行表示画面１０の表示手段と、運行表示画面試験情報ＤＢ(データベース)２０と、試験仕様書フォーマット３０の格納手段と、ここでは図示していない演算手段とを含んでいる。運行表示画面試験情報ＤＢ２０は、画面試験(入力情報)ＤＢ２１と、画面試験(出力情報)ＤＢ２２とからなる。演算手段は、運行表示画面試験仕様書作成手段の機能と、健全性確認試験実行手段の機能とを果たす。
【００２５】
試験端末１の運行表示画面試験仕様書作成手段としての演算手段は、作成した運行表示画面１０について、全点試験を手動または自動で実行し、入力情報を運行表示画面試験情報ＤＢ２０内の画面試験(入力情報)ＤＢ２１に格納し、応答結果を画面試験(出力情報)ＤＢ２２に格納し、その情報から試験仕様書フォーマット３０を使用して、試験仕様書を作成する。また、設備追加／削除時には、試験仕様書を新たに作成する。
【００２６】
試験端末１の健全性確認試験実行手段としての演算手段は、設備追加／削除時に、変更されなかった運行表示画面個所についても、設備全点を試験する。全点試験結果は、上記試験仕様書を参照すれば、容易に確認できるので、運行表示画面作成者の作業量を削減できる。
【００２７】
更に追加機能として、試験結果差分検出表示手段を装備してもよい。試験結果差分検出表示手段は、運行表示画面試験情報ＤＢ２０内の画面試験(出力情報)ＤＢ２２を参照して、該当設備について、ある時点の試験結果と、別の時点で実行した試験結果との差分を検出する。差分検出結果は、運行表示画面１上で確認できる。
【００２８】
本発明の試験端末１を使用して全点試験をするには、ネットワークを介して、外部の設備情報提供装置５０と接続する必要がある。
【００２９】
外部の設備情報提供装置５０は、全設備情報を設備一覧ＤＢ６０として管理している。外部の設備情報提供装置５０は、試験端末１から該当設備に関する制御情報を要求すると、ネットワーク４０を介してその制御情報を受信し、制御に対する設備の応答を模擬して試験端末１に返信し、また列車ダイヤにしたがって列車走行を模擬し、試験端末１に送信する。
【００３０】
以上の構成および手順によって、運行表示画面の妥当性を容易に確認でき、運行表示画面作成者の作業効率が改善される。
【００３１】
図２は、本発明による運行表示画面全点試験装置を起動した時に試験端末１の画面に表示される全点試験装置メニュー２の一例を示す図である。
【００３２】
試験対象画面を選択するには、全点試験装置メニュー２のうち、「試験用運行表示画面表示３」から全点試験を実行する運行表示画面を選択し、表示させる。
【００３３】
表示した運行表示画面について、試験を実行する際に必要な試験用ＤＢを作成する。
【００３４】
一度も設備全点について試験していない状態では、運行表示画面試験情報ＤＢ２０に試験情報として作成する必要がある。その場合は、メニューから、「試験用ＤＢ作成４」を選択し、設備１点ずつに対して操作を実行する。実行した順番に、試験情報として運行表示画面情報ＤＢ２０に登録していく。全設備を操作すると、試験情報が、運行表示画面情報ＤＢ２０に全て蓄積される。
【００３５】
表示した運行表示画面について、既に手動で全点試験をしたことがあれば、必要な情報は運行表示画面試験情報ＤＢ２０に格納されているので、メニューから「全点試験(自動／手動)５」を選択し、試験を実行する。
【００３６】
試験仕様書を作成したい時は、「試験仕様書作成６」を選択する。なお、試験仕様書作成の詳細は、図４を参照して、後述する。
【００３７】
試験結果を既に実行した試験結果と比較して差分の有無を確認する時は、「差分検出７」を選択する。差分検出の詳細は、図８を参照して、後述する。
【００３８】
図３は、本発明による運行表示画面全点試験装置の運行表示画面試験情報ＤＢ２０の内部構成の概要を示す図である。
【００３９】
運行表示画面試験情報ＤＢ２０は、画面試験(入力情報)ＤＢ２１と、画面試験(出力情報)ＤＢ２２とからなる。
【００４０】
画面試験(入力情報)ＤＢ２１には、運行表示画面上で操作した設備名称情報と、その設備への構成制御情報および操作番号を登録する。操作番号とは一貫番号であり、同値となることはない。
【００４１】
画面試験(出力情報)ＤＢ２２には、操作番号に対応した応答結果および表示情報を登録する。表示情報とは、運行表示画面処理が該当設備情報への応答を表示する表示色である。表示色については、１つの信号機に関し画面試験(入力情報)ＤＢ２１，画面試験(出力情報)ＤＢ２２への登録方法を、図９を参照して、後述する。
【００４２】
運行表示画面試験情報ＤＢ２０を、画面試験(入力情報)ＤＢと画面試験(出力情報)ＤＢとに分けているのは、１つの運行表示画面について、何度も全点試験を実行した場合、結果を容易に区別し、比較して確認できるようにするためである。
【００４３】
画面試験(入力情報)ＤＢ２１と画面試験(出力情報)ＤＢ２２とに分けると、１つの画面試験(入力情報)ＤＢ２１から実行させた全点試験について、画面試験(出力情報)ＤＢ２２で対応を付けやすい。出力情報ＤＢを日付単位に格納すれば、同じ運行表示画面を再度全点試験した時、ある時点で実行した全点試験の試験結果と今回の全点試験の試験結果とを差分出力することが容易となる。
【００４４】
画面試験(入力情報)ＤＢ２１については、時間単位に情報を格納する必要はない。設備が追加された時、修正する運行表示画面について必ず一度操作を実行するので、その時に追加した設備を画面試験(入力情報)ＤＢ２１に追加する必要がある。
【００４５】
この情報が画面試験(入力情報)ＤＢ２１に入らなかった場合、運行表示画面作成者が該当する運行表示画面の健全性確認の試験を後日実行すると、追加した設備について健全性を確認できなくなる。したがって、画面試験(入力情報)ＤＢ２１は、１枚の運行表示画面について、１つの入力情報ＤＢに限定している。
【００４６】
図４は、本発明による運行表示画面全点試験装置の運行表示画面試験情報ＤＢ２０と作成される試験仕様書フォーマットとの関係を示す図である。
【００４７】
図２の全点試験装置メニュー２から、「試験仕様書作成６」を選択すると、日付選択画面が表示される。
【００４８】
選択された日付に基づいて、操作番号をキーとして、画面試験(入力情報)ＤＢ２１から、操作番号，設備名称番号，制御情報を抽出する。
【００４９】
選択された日付に基づいて、操作番号をキーとして、画面試験(出力情報)ＤＢ２２から、表示情報と出力結果を抽出する。
【００５０】
それぞれの情報を併合して、試験仕様書フォーマット３０上で試験仕様書を作成する。試験仕様書フォーマット３０は、汎用の表計算ソフトや汎用のデータベースソフトで作成し管理すればよい。
【００５１】
画面試験(出力情報)ＤＢ２２は、日付単位で格納されているので、実行した日付から何度でも作成できる。
【００５２】
図５は、本発明による運行表示全点試験の処理手順の一例を示すフローチャートである。
【００５３】
従来は、全点試験を繰り返す時に、運行表示画面作成者が図５の全ての処理手順を実行していた。これに対して、本発明では、運行表示画面試験情報ＤＢ２０の画面試験(入力情報)ＤＢ２１および画面試験(出力情報)ＤＢ２２を用いて、図５の処理手順を自動化する。したがって、運行表示画面作成者の作業効率が改善され、運行表示画面の品質が高められる。
【００５４】
ステップ１：運行表示全点試験が開始すると、画面試験(入力情報)ＤＢ２１から項目番号をキーとして設備名称を参照する。
【００５５】
ステップ２：参照した該当設備に対する制御指令が抽出され、運行表示画面１０に制御要求が表示される。
【００５６】
ステップ３：外部の設備情報提供装置５０に該当設備名称と構成制御情報を制御要求として送信する。
【００５７】
ステップ４：設備情報提供装置５０から返信された応答結果情報を受信する。
【００５８】
ステップ５：返信された応答結果情報に基づいて、運行表示画面１０に該当設備の応答結果を表示する。
【００５９】
ステップ６：運行表示画面１０に表示された応答結果を画面試験(出力情報)ＤＢ２２に、結果情報として格納する。
【００６０】
ステップ７：画面試験(入力情報)ＤＢ２１に未実行項目番号の試験情報があるか否かを確認し、未実行試験項目がある場合には、ステップ１の処理手順に戻って、全点試験を完了するまで繰り返す。
【００６１】
図６は、本発明による試験端末１から外部の設備情報提供装置５０に情報を送信する処理手順を示すフローチャートである。
【００６２】
ステップ１：試験端末１側で、画面試験(入力情報)ＤＢ２１から既に参照している該当設備名称と構成制御情報とを外部の設備情報提供装置５０に送信する。
【００６３】
ステップ２：外部の設備情報提供装置５０は、受信した制御情報が、設備一覧ＤＢ６０に存在するか否かを確認する。
【００６４】
ステップ３：外部の設備情報提供装置５０は、制御情報が存在する場合、設備一覧ＤＢ６０から該当設備を参照し、設備構成制御状態をチェックする。
【００６５】
ステップ４：外部の設備情報提供装置５０は、そのチェック結果を制御応答結果情報として、試験端末１に返信する。
【００６６】
図７は、外部の設備情報提供装置５０から制御応答を受信した時の試験端末１における処理手順を示すフローチャートである。
【００６７】
試験端末１は、外部の設備情報提供装置５０から受信した制御応答結果情報に基づき、運行表示画面に結果を表示させる。
【００６８】
ステップ１：その時、画面試験(出力情報)ＤＢ２２から該当する操作番号の表示情報を参照する。
【００６９】
ステップ２：画面試験(出力情報)ＤＢ２２から参照した表示情報と今回の表示情報とを比較する。
【００７０】
ステップ３：比較結果を試験仕様書情報として画面試験(出力情報)ＤＢ２２に登録する。
【００７１】
画面試験(出力情報)ＤＢ２２に登録する情報は、出力結果が前回と同じ場合は「ＯＫ」、出力結果が前回と異なる場合は「ＮＧ」とする。
【００７２】
図８は、本発明による運行表示画面全点試験装置における差分検出の概要を示す図である。図７の処理手順で、出力結果が「ＮＧ」となった場合の運行表示画面の表示状態を示している。
【００７３】
全点試験終了後、図２のメニューで「差分検出７」を選択すると、最新の画面情報(出力情報)ＤＢ２２を検索し、応答結果情報から「ＮＧ」を検出する。
【００７４】
検出された「ＮＧ」の操作番号により、今回の画面情報(入力情報)ＤＢ２２１の設備情報を参照する。参照した今回の設備情報および表示情報を運行表示画面１０１に表示させる。
【００７５】
検出された「ＮＧ」の操作番号により、前回の画面情報(入力情報)ＤＢ２２２の設備情報を参照する。参照した前回の設備情報および表示情報を運行表示画面１０２に表示させる。
【００７６】
双方の運行表示画面１０１，１０２を表示させると、簡単かつ確実に今回の試験結果と前回の試験結果とを比較できるので、運行表示画面作成者への試験作業量を軽減し、全点試験の効率および精度を改善できる。
【００７７】
図９は、運行表示全点試験を手動で実行し運行表示画面１０を操作した時に、試験結果が運行表示画面試験情報ＤＢ２０に登録表示されるまでの概要を示す図である。
【００７８】
ステップ１：運行表示画面１０で、該当信号機の発着点(１ＲＤ０)を操作し、構成ボタンを押す。
【００７９】
ステップ２：構成ボタンが押された時点で、画面試験(入力情報)ＤＢ２１に、［操作番号(１)，設備名称情報(１ＲＤ０)］と書き込む。
【００８０】
ステップ３：外部の設備情報提供装置５０からの応答結果情報に基づいて、運行表示画面１０で、該当する設備の表示色[(ラインライト：黄色、信号機：緑色)］を表示する。
【００８１】
ステップ４：表示した運行表示画面１０の表示情報を画面試験(出力情報)ＤＢ２２に、［操作番号(１)，表示情報(黄色，緑色)］と書き込む。
【図面の簡単な説明】
【００８２】
【図１】本発明による運行表示画面全点試験装置の一実施例の系統構成を示すブロック図である。
【図２】本発明による運行表示画面全点試験装置を起動した時に試験端末１の画面に表示される全点試験装置メニュー２の一例を示す図である。
【図３】本発明による運行表示画面全点試験装置の運行表示画面試験情報ＤＢ２０の内部構成の概要を示す図である。
【図４】本発明による運行表示画面全点試験装置の運行表示画面試験情報ＤＢ２０と作成される試験仕様書フォーマットとの関係を示す図である。
【図５】本発明による運行表示全点試験の処理手順の一例を示すフローチャートである。
【図６】本発明による試験端末１から外部の設備情報提供装置５０に情報を送信する処理手順を示すフローチャートである。
【図７】外部の設備情報提供装置５０から制御応答を受信した時の試験端末１における処理手順を示すフローチャートである。
【図８】本発明による運行表示画面全点試験装置における差分検出の概要を示す図である。
【図９】運行表示全点試験を手動で実行し運行表示画面１０を操作した時に、試験結果が運行表示画面試験情報ＤＢ２０に登録表示されるまでの概要を示す図である。
【符号の説明】
【００８３】
１  試験端末
２  全点試験装置メニュー
３  試験用運行表示画面表示メニュー
４  運行表示試験ＤＢ作成メニュー
５  全点試験(自動／手動)メニュー
６  試験仕様書作成メニュー
７  差分検出メニュー
１０  作成した運行表示画面
１０１  今回全点試験結果
１０２  前回全店試験結果
２０  運行表示画面試験情報ＤＢ
２１  画面試験(入力情報)ＤＢ
２２  画面試験(出力情報)ＤＢ
２２１  今回画面試験(出力情報)ＤＢ
２２２  前回画面試験(出力情報)ＤＢ
３０  試験仕様書フォーマット
４０  ネットワーク
５０  設備情報提供装置
６０  設備一覧ＤＢ
【図１】
2008001268.tif 000003
【図２】
2008001268.tif 000004
【図３】
2008001268.tif 000005
【図４】
2008001268.tif 000006
【図５】
2008001268.tif 000007
【図６】
2008001268.tif 000008
【図７】
2008001268.tif 000009
【図８】
2008001268.tif 000010
【図９】
2008001268.tif 000011